(57)【要約】【課題】個々のソフトフォン端末の構成に関わらず、ネットワーク内において音声の送話・受話レベルを統一して音声品質の安定化を図る。【解決手段】ソフトフォン端末の音声レベル調整システムは、呼制御サーバ３０、ゲートウェイ装置（GW）４０、ソフトフォン端末５０−１，５０−２等で構成され、音声パケットがピア−ピア接続によるソフトスイッチ型VOIPネットワーク２０において、同一ネットワーク２０内の音声の送話・受話レベルの基準音声を内蔵したGW音声基準機能部４４を有するGW４０を配備することにより、GW４０とソフトフォン端末５０−１，５０−２との間で、ネットワーク２０内の音声レベル調整を可能にしている。【選択図】図１
2008067270.tif 000002
【特許請求の範囲】
【請求項１】
呼の接続及び状態管理を行う呼制御サーバと、音声の送話及び受話を行うソフトフォン端末と、電話ネットワークとインターネット・プロトコル・ネットワークを接続するゲートウェイ装置とを備え、音声パケットがピア−ピア接続によるソフトスイッチ型インターネット・プロトコル・ネットワークにおいて、
同一ネットワーク内の音声の送話・受話レベルの基準音声を内蔵し、前記ソフトフォン端末から前記呼制御サーバを経由したアクセスに基づき、前記基準音声のサンプル音声の再生、及び、前記ソフトフォン端末からの音声の録音と再生を行う機能を有する音声基準機能部を備えたことを特徴とするソフトフォン端末の音声レベル調整システム。
【請求項２】
前記音声基準機能部は、前記ゲートウェイ装置に設けたことを特徴とする請求項１記載のソフトフォン端末の音声レベル調整システム。
【請求項３】
呼の接続及び状態管理を行う呼制御サーバと、音声の送話及び受話を行うソフトフォン端末と、電話ネットワークとインターネット・プロトコル・ネットワークを接続するゲートウェイ装置とを備え、音声パケットがピア−ピア接続によるソフトスイッチ型インターネット・プロトコル・ネットワークにおいて、
同一ネットワーク内の音声の送話・受話レベルの基準音声と、
前記インターネット・プロトコル・ネットワークからの受信音声パケットと前記基準音声の音量レベルを比較してレベル補正値を生成する機能を有する音量調整部と、
前記ソフトフォン端末に内蔵され、前記レベル補正値に基づき前記音量レベルの補正を行うレベル補正部と、
前記ゲートウェイ装置と前記ソフトフォン端末との間を接続する呼制御パス、音声パス及び音量制御パスと、
を備えたことを特徴とするソフトフォン端末の音声レベル調整システム。
【請求項４】
前記基準音声、及び前記音量調整部は、前記ゲートウェイ装置、及び前記ソフトフォン端末にそれぞれ内蔵させたことを特徴とする請求項３記載のソフトフォン端末の音声レベル調整システム。
【発明の詳細な説明】
【技術分野】
【０００１】
本発明は、インターネット・プロトコル（Internet Protocol、以下「IP」という。）上で音声データを転送するためのボイス・オーバ・インターネット・プロトコル（Voice Over Internet Protocol、以下「VOIP」という。）ネットワークおけるソフトフォン端末の音声レベル調整システムに関するものである。
【背景技術】
【０００２】
従来、通信事業者のIPネットワーク上でソフトウェアにより回線交換サービスを実現するソフトスイッチ（softswitch）型のVOIPネットワークに関する技術としては、例えば、次のような文献に記載されるものがあった。
【０００３】
【非特許文献１】千村保文・村田利文監修「改訂版SIP教科書」初版（２００４−１２−１１）（株）インプレス  ネットビジネスカンパニー、p．５６−６１
【０００４】
図２は、非特許文献１に記載された従来のソフトスイッチ型VOIPネットワークを示す概略の構成図である。
【０００５】
IPネットワーク１には、複数のロケーション・サーバ２、及び複数の呼制御サーバ３−１，３−２が設けられている。呼制御サーバ３−１，３−２は、例えば、セッション・イニシエーション・プロトコル（Session Initiaction Protocol、以下「SIP」という。）プロキシー３Ａ，３Ｂにより構成されている。SIPプロキシー３Ａ,３Ｂには、SIPユーザー・エージェント（SIP User Agent、以下「SIP-UA」という。）４−１，４−２が接続されている。SIP-UA４−１，４−２のアプリケーションとして、例えば、SIP-UA４−１であるIP電話ゲートウェイ装置（以下「VOIP-GW」という。）４Ａには、IP電話端末５におけるハードフォン端末５Ａが接続され、SIP-UA４−２である公衆電話ネットワーク接続ゲートウェイ装置（以下単に「VOIP-GW」という。）４Ｃには、公衆交換電話ネットワーク（Public Switched Telephone Network、以下「PSTNネットワーク」という。）６が接続されている。IP電話端末５におけるソフトフォン端末５Ｂは、直接、呼制御サーバ３−１に接続される。PSTNネットワーク６には、通常の電話機７等が接続されている。
【０００６】
IP電話端末５には、ハードフォン端末５Ａ、ソフトフォン端末５Ｂ等がある。ハードフォン５Ａには、VOIPを運用するための全てのハードウェア及びソフトウェアが含まれ、単なるパーソナルコンピュータ（以下「PC」という。）のことではなく、電話機として特別に設計されたものである。これに対し、ソフトフォン端末５Ｂは、専用ハードウェアで構成されたものと異なり、例えば、汎用PCにIP電話のソフトを組み込み、音声の入力や出力はPCの汎用インタフェース（USB、オーディオ端子等）に接続するハンドセット、ヘッドセット（イヤフォン或いはヘッドフォンとマイクロフォン）を装着することで、PCを電話機として使用できるようにしたものである。
【０００７】
SIPは、IETEで開発されたプロトコルで、アプリケーション間のリアルタイム・マリチメディア・セッションを設定する手順である。SIPは、クライアント−サーバ・モデルのプロトコルであり、SIPシステムは、図２に示されるように、
（１）  SIP-UA４−１，４−２
（２）  SIPプロキシー３Ａ，３Ｂ
（３）  ロケーション・サーバ２
等の「SIPエンティティ（機能）」と呼ばれるコンポーネント（構成要素)で構成される。
【０００８】
（１） SIP-UA４−１，４−２
SIPは、ユーザー・エージェント・クライアント（以下「UAC」という。）とユーザー・エージェント・サーバ（以下「UAS」という。）の間を、SIPプロキシー４−１，４−２が中継するアーキテクチャである。UAは、ロケーション・サーバ２に登録され、SIPプロキシー３Ａ,３Ｂはロケーション・サーバ２を参照して中継先を決定する。即ち、UAは、アプリケーショーン・ソフトやVOIP-GW等のエンド・システムがもつ機能で、SIPリクエスを生成する際はUACとして動作し、リクエストを処理してレスポンスを生成する際はUASとして動作する。
【０００９】
（２）  SIPプロキシー３Ａ,３Ｂ
SIPプロキシー３Ａ,３Ｂは、クライアントの「代理」としてIPメッセージの中継を行う。ロケーション・サーバ２は、SIPを処理するサーバではないが、UAの情報が蓄積され、他のSIPプロキシー３Ａ,３Ｂに対してUA情報を提供するデータベースである。
【００１０】
（３）ロケーション・サーバ２
規格H.323では、ゲートキーパがIPメッセージの中継とアドレス解決を行っているが（ゲートキーパ経由型シグナリング場合）、SIPではアドレス解決をロケーション・サーバ２で、IPメッセージの中継はSIPプロキシー３Ａ,３Ｂで行うように役割を分担している。
【００１１】
SIPプロトコルは、基本的にはINVITE（ユーザー間のセッション確立）、ACK（確認応答）、CANCEL（セッション確立中のINVITEを終了させる）、BYE（セッションの終了)等のシンプルなメソッド(Method、制御機能)で構成され、それぞれのメソッドをクライアントとサーバ間で、リクエストとそれに対するレスポンスとしてやり取りすることでセッションを確立したり、終了したりする。
【００１２】
図３は、図２のソフトスイッチ型VOIPネットワークにおけるSIPの呼設定例を示すシーケンス図である。
【００１３】
この図３では、SIPで、単純な電話サービス（例えば、呼制御サーバ３−１であるSIPプロキシー３Ａに接続されたハードフォン端末５Ａ−１，５Ａ−２間の呼設定）を行う場合のシーケンス例が示されている。呼設定には、SIPプロキシー３Ａを経由せずにピア−ピア接続でUAが通信する場合と、SIPプロキシー３Ａが中継する場合があるが、基本的な呼設定手順は同じである。ここで、各VOIP-GW４Ａ，４Ｂには、通信相手先の電話番号とIPアドレスの関係を示すアドレス情報ADが予め登録されている。
【００１４】
先ず、ハードフォン端末５Ａ−１がオフ・フック(受話器を取り上げ)してダイヤルすると（ステップＳ１）、UAC（ハードフォン端末５Ａ−１側のVOIP-GW４Ａ）がUAS(ハードフォン端末５Ａ−２側のVOIP-GW４Ｂ)へINVITEリクエストを送る（ステップＳ２）。これを受けてUASはハードフォン端末５Ａ−２を呼び出し（ステップＳ３）、UACには呼び出し中を意味するRINGINGレスポンスを返送する（ステップＳ４）。
【００１５】
UACが180 RINGINGレスポンスを受信すると、ハードフォン端末５Ａ−１へリングバック・トーン（呼び出し中の音）が流れる（ステップＳ５）。次にハードフォン端末５Ａ−２が受話器を上げて応答すると（ステップＳ６）、UACへ200 OK（成功応答）レスポンスが送られる（ステップＳ７）。UACがACKリクエストを送出すると（ステップＳ８）、リアルタイム音声信号のやり取りが開始され（ステップＳ９）、通話が行われる。リアルタイム音声信号の伝送方式としては、例えば、リアルタイム・トランスポート・プロトコル（Real-time Transport Protocol、以下「RTP」という。）が使用される。RTPは、ストリーム型データの伝送を目的としたプロトコルである。
【００１６】
ハードフォン端末５Ａ−１がオン・フック（受話器を下ろす）して通話を切断すると（ステップＳ１０）、UACがUASへBYEを送り（ステップＳ１１）、これに対応してUASがUACへ200 OKを返し、通話が終了する。
【００１７】
図４は、図２のソフトスイッチ型VOIPネットワークにおけるソフトフォン端末の呼設定例を説明するための図である。
【００１８】
呼制御サーバ３−２は、例えば、SIPプロキシー３Ｂにより構成され、これにはソフトフォン５Ｂ−１，５Ｂ−２及びVOIP-GW４Ｃが接続されている。VOIP-GW４Ｃは、呼制御サーバ３−２に接続されるIPインタフェース１１、PSTNネットワーク６に接続されるPSTNインタフェース１２、及び電話機７等を接続するための回線インタフェース（I/F)１３等を有している。
【００１９】
呼制御サーバ３−２は、呼の接続・状態管理を行っており、ソフトフォン端末５Ｂ−１，５Ｂ−２間の接続はSIP等のプロトコルを使用して、全てSIPプロキシー３Ｂ経由で実施される。又、呼毎に発生するIPネットワーク１上の音声経路（音声パス）は、ソフトフォン端末５Ｂ−１−ソフトフォン端末５Ｂ−２間、若しくはソフトフォン端末５Ｂ−１，５Ｂ−２−VOIP-GW４Ｃ間等でピア−ピア接続となり、IPネットワーク１上でルーティング接続で実現している。音声経路がピア−ピア接続になったことにより、音声の送話・受話レベルの補正機能は全てソフトフォン端末５Ｂ−１，５Ｂ−２側の機能となり、ソフトフォン端末５Ｂ−１，５Ｂ−２に音声レベル補正機能を内蔵して音声レベルの調整を行っている。
【００２０】
IP電話端末５におけるハードフォン端末５Ａ−１，５Ａ−２やVOIP−GW４Ｃは専用ハードウェアで構成され、音声入力部からVOIPネットワークヘ音声パケットを送出するまでの音声レベルに影響を与える部分は統一されており、音声レベル調整は専用に調整が可能であり、VOIPネットワーク上の送話・受話レベルは統一されていた。
【００２１】
IP電話端末５としてのソフトフォン端末５Ｂ−１，５Ｂ−２は、汎用PCにIP電話のソフトを組み込み、ハンドセット、ヘッドセットを装着することでPCを電話機として使用できるようにしたものであり、音声の送話・受話音量のレベル調整は、ハンドセット、ヘッドセット装置に付属したボリュームコントロールやPCのソフトウェア上の音量調整機能により個々に調整を行っていた。
【発明の開示】
【発明が解決しようとする課題】
【００２２】
しかしながら、従来のソフトフォン端末の音声レベル調整システムにおいて、ソフトフォン端末５Ｂ−１，５Ｂ−２は、PC、ヘッドセット等の組み合わせが任意に構成できてしまうため、PCの性能や設定、ハンドセット・ヘッドセットのマイクロフォン（以下単に「マイク」という。）やスピーカの特性により、音声の送話・受話レベルに大きくばらつきが発生し、送話・受話音声レベルの調整が非常に難しくなっている。
【００２３】
特に、ソフトスイッチ構成の同一VOIPネットワーク内での通話時の音声パスは、ソフトフォン５Ｂ−１，５Ｂ−２端末間でピア−ピア接続で、音声レベルを補正する装置は介在しないので、ソフトフォン端末５Ｂ−１，５Ｂ−２における音声の送話・受話レベルはネツトワーク上のレベルを統一する必要があるものの、ソフトフォン端末５Ｂ−１，５Ｂ−２に関しては、ネットワーク上の音声レベルとは関係なく、ソフトフォン端末個々の内部レベル調整機能で音声レベルを調整していた。そのため、ソフトフォン端末５Ｂ−１，５Ｂ−２を使用した通話において送話・受話レベルに差が発生し、ネットワーク上の音声レベルの均一性が保たれず、音声レベルの調整が困難となっており、ソフトフォン端末５Ｂ−１，５Ｂ−２に関しては、ソフトフォン端末個々の内部レベル調整機能だけでの音声レベル調整ではなく、ネットワーク上の音声レベルに合わせた音声レベル調整機能が必要となっていた。
【課題を解決するための手段】
【００２４】
本発明のソフトフォン端末の音声レベル調整システムは、呼の接続及び状態管理を行う呼制御サーバと、音声の送話及び受話を行うソフトフォン端末と、電話ネットワークとIPネットワークを接続するゲートウェイ装置（以下「GW」という。）とを備え、音声パケットがピア−ピア接続によるソフトスイッチ型IPネットワークにおいて、音声基準機能部を備えたことを特徴とする。
【００２５】
前記音声基準機能部は、同一ネットワーク内の音声の送話・受話レベルの基準音声を内蔵し、前記ソフトフォン端末から前記呼制御サーバを経由したアクセスに基づき、前記基準音声のサンプル音声の再生、及び、前記ソフトフォン端末からの音声の録音と再生を行う機能を有している。
【００２６】
本発明の他のソフトフォン端末の音声レベル調整システムは、呼の接続及び状態管理を行う呼制御サーバと、音声の送話及び受話を行うソフトフォン端末と、電話ネットワークとIPネットワークを接続するGWとを備え、音声パケットがピア−ピア接続によるソフトスイッチ型IPネットワークにおいて、同一ネットワーク内の音声の送話・受話レベルの基準音声と、音量調整部と、レベル補正部と、呼制御パス、音声パス及び音量制御パスとを備えたことを特徴とする。
【００２７】
前記音量調整部は、前記IPネットワークからの受信音声パケットと前記基準音声の音量レベルを比較してレベル補正値を生成する機能を有している。前記レベル補正部は、前記ソフトフォン端末に内蔵され、前記レベル補正値に基づき前記音量レベルの補正を行う機能を有している。更に、前記呼制御パス、音声パス及び音量制御パスは、前記GWと前記ソフトフォン端末との間を接続している。
【発明の効果】
【００２８】
本発明のソフトフォン端末の音声レベル調整システムによれば、ソフトスイッチ型IPネットワークにおいて、音声基準機能部を設けたので、GWとソフトフォン端末との間でネットワーク内の音声レベル調整が可能になる。そのため、ソフトフォン端末の構成に関わらず、音声の送話・受話レベルの統一化が行われることにより、音声品質の安定化が可能となる。更に、音声レベルの不具合を特定する１つの切り分け手段としての使用が可能となり、運用面の効率化が実現できる。
【００２９】
本発明の他のソフトフォン端末の音声レベル調整システムによれば、ソフトスイッチ型IPネットワークにおいて、基準音声と、音量調整部と、レベル補正部と、音声パス及び音量制御パスとを設けたので、ネットワーク内において自動的に音声レベル調整を行うことができる。
【発明を実施するための最良の形態】
【００３０】
ソフトフォン端末の音声レベル調整システムは、呼制御サーバ、GW、ソフトフォン端末等で構成され、音声パケットがピア−ピア接続によるソフトスイッチ型VOIPネットワークにおいて、同一ネットワーク内の音声の送話・受話レベルの基準音声を内蔵した音声基準機能部を有するGWを配備することにより、GWとソフトフォン端末との間で、ネットワーク内の音声レベル調整を可能にしている。
【実施例１】
【００３１】
（実施例１の構成）
図１は、本発明の実施例１におけるソフトスイッチ型VOIPネットワークを示す概略の構成図である。
【００３２】
このソフトスイッチ型VOIPネットワークは、従来の図２及び図４とほぼ同様に、IPネットワーク２０上に設けられた呼制御サーバ３０を有している。呼制御サーバ３０は、例えば、SIPプロキシーで構成され、これにはVOIP-GW４０、及びソフトフォン端末５０−１，５０−２が接続されている。VOIP-GW４０は、従来と同様に、呼制御サーバ３０に接続されるIPインタフェース４１、PSTNネットワーク６０に接続されるPSTNインタフェース４２、及び、PSTNネットワーク６０に接続される一般的な電話機７０等を接続するための回線インタフェース（I/F)４３と、新たに設けられ、ソフトフォン端末５０−１，５０−２の音声の送話・受話の基準レベルとなる音声基準機能部（例えば、GW音声基準機能部）４４とを有している。
【００３３】
本実施例１のVOIP-GW４０の特徴は、音声基準機能として単独でIPインタフェースを設けず、VOIP-GW機能の一部としてIPインタフェース４１を共用している点にある。即ち、本実施例１のVOIP-GW４０は、呼制御サーバ３０で同一VOIPネットワーク内にあるソフトフォン端末５０−１，５０−２とGW音声基準機能部４４との間の音声パス接続制御を可能にし、全てのソフトフォン端末５０−１，５０−２からGW音声基準機能部４４を使用してソフトフォン端末５０−１，５０−２の音声の送話・受話レベルを調整することを可能な構成としている。
【００３４】
GW音声基準機能部４４には、以下の３つの機能部４４a,４４b,４４cがある。
（１）  基準音声レベルとなるサンプル音声の再生機能部４４a
（２）  ソフトフォン端末５０−１，５０−２からの音声の録音機能部４４b
（３）  （２）の音声の再生機能部４４c
【００３５】
ソフトフォン端末５０−１，５０−２は、従来と同様に、例えば、汎用PCにIP電話のソフトを組み込み、音声の入力や出力はPCの汎用インタフェース（USB、オーディオ端子等）に接続するハンドセット、ヘッドセットを装着することで、PCを電話機として使用できるようにしたものである。
【００３６】
（実施例１の動作）
ソフトスイッチ型VOIPネットワークにおけるソフトフォン端末５０−１，５０−２の呼設定動作は、従来とほぼ同様である。即ち、呼制御サーバ３０は、呼の接続・状態管理を行っており、ソフトフォン端末５０−１，５０−２間の接続はSIP等のプロトコルを使用して、全てSIPプロキシー経由で実施される。又、呼毎に発生するIPネットワーク２０上の音声経路（音声パス）は、ソフトフォン端末５０−１−ソフトフォン端末５０−２間、若しくはソフトフォン端末５０−１，５０−２−VOIP-GW４０間等でピア−ピア接続となり、IPネットワーク２０上でルーティング接続で実現している。
【００３７】
ソフトフォン端末５０−１，５０−２で音声の送話・受話レベルを調整する場合、以下のように、最初に受話レベルの調整（I)、次に送話レベルの調整（II)を行う。
【００３８】
（I）  受話レベルの調整
例えば、ソフトフォン端末５０−１から、VOIP-GW４０内のGW音声基準機能部４４に割り当てた電話番号若しくは特番等を利用して、呼制御サーバ３０経由でGW音声基準機能部４４内の再生機能部４４aにアクセスを行い、基準音声レベルとなるサンプル音声を再生しながら、ソフトフォン端末５０−１のPC、ヘッドセット・ハンドセット等で受話レベルの調整を行う。この際、複数のサンプル音声を用意しておくことで、受話レベルをより実運用に近い形で調整できる。
【００３９】
（II）  送話レベルの調整
受話レベルの調整が完了した後、ソフトフォン端末５０−１から、VOIP-GW４０内のGW音声基準機能部４４に割り当てた電話番号若しくは特番等を利用して、呼制御サーバ３０経由でGW音声基準機能部４４内の録音機能部４３bにアクセスを行い、送話レベル調整のガイダンスを流し、ガイダンスに合わせ、録音と再生を繰り返し音声を調整していく。ソフトフォン端末５０−１から送話レベル調整のサンプルとなる言葉を録音機能部４４bで録音し、そのまま録音した音声を再生部４４cで再生する。ここで、レベルが大きい場合はソフトフォン端子５０−１側のマイクの音量を下げ、レベルが小さい場合はマイクの音量を上げ、再度録音と再生を行い、最適なマイクの音量調整を行う。
【００４０】
（実施例１の効果）
本実施例１によれば、音声レベル調整のGW音声基準機能部４４を搭載したVOIP-GW４０を設け、このVOIP-GW４０とソフトフォン端末５０−１，５０−２との間でIPネットワーク２０内の音声レベル調整を可能にしている。つまり、同一VOIPネットワーク内に音声の送話・受話基準点が配備されることにより、次の（ａ）、（ｂ）のような効果がある。
【００４１】
（ａ）  ソフトフォン端末５０−１，５０−２の構成（PC、ヘッドセット、ハンドセット等）に関わらず、音声の送話・受話レベルの統一化が行われることにより、音声品質の安定化が可能となる。
【００４２】
（ｂ）  音声レベルの不具合を特定する１つの切り分け手段としての使用が可能となり、運用面の効率化が実現できる。
【実施例２】
【００４３】
実施例１では、人の耳・口を利用した音声レベル調整システムについて説明したが、本実施例２では、自動調整可能な音声レベル調整システムについて説明する。
【００４４】
（実施例２の構成）
図５は本発明の実施例２におけるソフトスイッチ型VOIPネットワークを示す概略の構成図、図６は図５の論理パスの接続構成を示す図、図７は図５のソフトフォン端末の送話レベル調整を示す図、及び、図８は図５のソフトフォン端末の受話レベル調整を示す図である。この図５〜図８において、実施例１を示す図１中の要素と共通の要素には共通の符号が付されている。
【００４５】
図５及び図６に示すように、本実施例２のソフトスイッチ型VOIPネットワークは、実施例１と同様に、IPネットワーク２０上に設けられた呼制御サーバ３０を有している。呼制御サーバ３０は、例えば、SIPプロキシーで構成され、これには、実施例１とは構成の異なるVOIP-GW４０Ａ、及びソフトフォン端末５０Ａが接続されている。
【００４６】
VOIP-GW４０Ａは、実施例１と同様に、呼制御サーバ３０に接続されるIPインタフェース４１と、PSTNネットワーク６０に接続されるPSTNインタフェース４２と、PSTNネットワーク６０に接続される一般的な電話機７０等を接続するための回線インタフェース（I/F)４３とを有し、更に、実施例１のGW音声基準機能部４４に代えて、GW音量調整部４５等を有している。つまり、実施例１では、音量調整箇所にIPインタフエースはなかったが、本実施例２では、GW音量調整部４５にもIPインタフェースを追加し、IPネットワーク２０上に通常VOIPで使用する呼制御パス２１、音声パス２２以外に、新たに音量制御パス２３を追加している。新たに追加された音量制御パス２３は、ソフトフォン端末５０ＡとVOIP-GW４０Ａ内のGW音量調整部４５との間の音声レベル調整自動化、及び補正値通知のために設けられたものである。
【００４７】
GW音量調整部４５は、図７に示すように、音声パス２２及び音量調整パス２３に接続され、音声パス２２から送られてくる音声パケット（例えば、RTPパケット）を受信するパケット送受信部４５aと、受信したRTPパケットを伸張して音声データを再生する伸張部４５bと、再生された音声データを所定の音声レベルの音声信号に変換して出力する音声出力部４５cと、出力された音声レベルとメモリ等に格納された基準音声THとを比較して補正に必要なデータを音量制御パス２３を介してソフトフォン端末５０Ａへ送信するための比較部４５dとを有している。
【００４８】
更に、GW音量調整部４５には、図８に示すように、メモリ等に格納された基準音声THを入力する音声入力部４５ｅと、入力された基準音声THを圧縮してRTPパケットを生成する圧縮部４５fと、圧縮されたRTPパケットを音声パス２２を介してソフトフォン端末５０Ａへ送信するためのパケット送受信部４５ｇとが設けられている。
【００４９】
ソフトフォン端末５０Ａは、図７に示すように、音声を入力して音声信号を出力するマイク５１と、VOIP-GW４０Ａ側の基準音声THと同一の基準音声THをメモリ等に格納しておいてこの基準音声THの音量を調整して出力する音量調整部５２と、マイク５１から出力された音声信号と調整された基準音声THとを入力する音声入力部５３aと、入力された音声信号及び基準音声THの音声レベルを、パケット送信部５３ｄの出力信号に基づく自動調整により補正する音声レベル補正値調整用のレベル補正部５３bと、補正された音声レベルの音声信号を圧縮してRTPパケットを生成する圧縮部５３cと、音声パス２２及び音量調整パス２３に接続され、生成されたRTPパケットを音声パス２２を介してVOIP-GW４０ＡのGW音量調整部４５へ送信するためのパケット送受信部５３ｄとを有している。
【００５０】
更に、ソフトフォン端末５０Ａには、図８に示すように、音声パス２２から送られてくるRTPパケットを受信するパケット送受信部５４ａと、受信されたRTPパケットを伸張して音声データを再生する伸張部５４ｂと、再生された音声データの音声レベルを、比較部５５の出力信号に基づく自動調整により補正する音声レベル補正値調整用のレベル補正部５４ｃと、補正された音声レベルを増幅して出力する音声出力部５４dと、増幅された音声信号を音声に変換して出力するスピーカ５６とが設けられている。
【００５１】
（実施例２の動作）
ソフトスイッチ型VOIPネットワークにおけるソフトフォン端末５０Ａの呼設定動作は、実施例１と同様である。ソフトフォン端末５０Ａで音声の送話・受話レベルを調整する場合、例えば、以下のように、送話レベルの調整（I)、及び受話レベルの調整（II)を行う。
【００５２】
（I）  送話レベルの調整
図７において、送話レベルの調整は以下の（１）〜（９）の手順により行われる。
【００５３】
（１）  ソフトフォン端末５０ＡであるPC上のソフトフォン画面に音量調整を起動する画面を有し、音量調整する場合はその画面をマウスクリック等により起動する。
【００５４】
（２）  ソフトフォン端末５０Ａで音量調整機能の起動により、ソフトフォン端末５０Ａが呼制御サーバ３０と呼制御パス２１経由で通信し、ソフトフォン端末５０Ａ−GW音量調整部４５の間で、音声パス２２及び音量制御パス２３の接続を行う。
【００５５】
（３）  音量調整を自動で行うため、ソフトフォン端末５０Ａ及びGW音量調整部４５で同一の基準音声THを配備する。
【００５６】
（４）  送話側となるソフトフォン端末５０Ａ側のマイク５１から音声入力部５３aに基準音声THを入力し、音声入力部５３a〜パケット送受信部５３dまでは通常の音声通話と同様に、ソフトフォン端末５０Ａ内で音声処理を行い、音声データをパケット送受信部５３ｄよりRTPパケットとしてIPネットワーク２０経由でGW音量調整部４５に送信する。
【００５７】
（５）  RTPパケット化された基準音声データをGW音量調整部４５内のパケット送受信部４５aで受信し、通常の音声通話と同様に伸張部４５bで音声処理を行い、パケットデータを音声出力部４５cで音声変換する。更に、比較部４５dにおいて、ソフトフォン端末５０Ａから受信した基準音声とGW音量調整部４５内に配備している基準音声THとを比較し、音声レベルが適正範囲内にあるか否かの判定を行う。
【００５８】
（６）  音声レベルが適正範囲内にある場合は、レベル補正終了パケットを音量制御パス２３を使用してソフトフォン端末５０Ａに送信する。
【００５９】
（７）  音声レベルが適正範囲外でレベル補正が必要な場合は、レベル変更要求パケットを音量制御パス２３を使用してソフトフォン端末５０Ａに送信する。この時のレベル変更要求パケットには、レベル補正に必要なデータ（レベル補正値）を含む。
【００６０】
（８）  ソフトフォン端末５０Ａにおいて、GW音量調整部４５より音量制御パス２３経由でレベル補正に必要なデータが含まれたレベル変更要求パケットデータを受信した場合は、レベル補正部５３ｂに補正値を自動で反映させる。
【００６１】
更に、補正後に、再度音量調整を行うため、ソフトフォン端末５０Ａから音量制御パス２３を使用して、音量再調整パケットをGW音量調整部４５に送信した上で再度、基準音声をソフトフォン端末５０ＡからGW音量調整部４５に音声パス２２経由で送信し、GW音量調整部４５で音声レベルが適正範囲内に入ったか否かの再度確認を行う。音声レベルが適正範囲内に入るまで、レベル補正を繰り返す。
【００６２】
（９）  ソフトフォン端末５０Ａにおいて、GW音量調整部４５より音量制御パス２３経由でレベル補正終了パケットを受信した場合は、GW音量調整部４５との音声パス２２及び音量制御パス２３を切断させ、音量調整を終了する。
【００６３】
（II）  受話レベルの調整
図８において、受話レベルの調整は以下の（１）〜（８）の手順により行われる。
【００６４】
（１）  送話レベルの調整と同様に、ソフトフォン端末５０Ａで音量調整機能の起動により、ソフトフォン端末５０Ａが呼制御サーバ３０と呼制御パス２１経由で通信し、ソフトフォン端末５０Ａ−GW音量調整部４５の間で音声パス２２及び音量制御パス２３の接続を行う。
【００６５】
（２）  音量調整を自動で行うため、ソフトフォン端末５０Ａ、及びGW音量調整部４５で同一の基準音声THを配備する。
【００６６】
（３）  送話側となるGW音量調整部４５内の音声入力部４５eに基準音声THを入力し、音声入力部４５e〜パケット送受信部４５gまでは、通常の音声通話と同様にGW音量調整部４５内で音声処理を行い、パケット送受信部４５gより音声データをRTPパケットとしてIPネットワーク２０経由でソフトフォン端末５０Ａに送信する。
【００６７】
（４）  RTPパケット化された基準音声データをソフトフォン端末５０Ａ内のパケット送受信部５４aで受信し、通常の音声通話と同様に伸張部５４b及び音声出力部５４dで音声処理を行い、バケツトデータを音声変換する。更に、比較部５５において、GW音量調整部４５から受信した基準音声と、GW音量調整部５０Ａ内に配備している基準音声THとを比較し、受話レベルが適正範囲内にあるか否かの判定を行う。
【００６８】
（５）  受話レベルが適正範囲内にある場合は、レベル補正終了パケットを音量制御パス２３を使用してGW音量調整部４５に送信する。
【００６９】
（６）  受話レベルが適正範囲外でレベル補正が必要な場合は、レベル変更に必要なデータ（レベル補正値）をソフトフォン端末５０Ａ内のレベル補正部５４ｃに反映させる。送話レベル調整の場合は、送話側のソフトフォン端末５０Ａに音量制御パス２３を経由してレベル補正値を送信していたが、受話レベル調整の場合は、GW音量調整部４５側が基準であるので、送信側ヘレベル変更は行わず、全て受話側のソフトフォン端末５０Ａ側で調整を行う。
【００７０】
（７）  ソフトフォン端末５０Ａ内でレベル補正を行った場合、再度レベルが適正範囲内にあるか否かを判定するため、ソフトフォン端末５０Ａより音量制御パス２３を使用してGW音量調整部４５に対し、基準音声THを再度送信するように、基準音声再送要求パケットを送信する。受話レベルが適正範囲内に入るまで、レベル補正を繰り返す。
【００７１】
（８）  ソフトフォン端末５０Ａでレベル補正が適正範囲内に入った場合は、レベル補正終了パケットを音量制御パス２３を使用してGW音量調整部４５に送信する。
GW音量調整部４５でレベル補正終了パケットを受信した場合、GW音量調整部４５において、ソフトフォン端末５０Ａとの音声パス２２及び音量制御パス２３を切断させ、音量調整を終了する。
【００７２】
（実施例２の効果）
本実施例２によれば、GW音量調整部４５をVOIP-GW４０Ａ内に設けると共に、音量調整部５２、レベル補正部５３ｂ、及び比較部５５等をソフトフォン端末５０Ａ内に設けたので、実施例１で示したレベル調整を自動で実施することが可能となる。
【００７３】
（変形例）
本発明は、図示の実施例１、２に限定されず、種々の利用形態や変形が可能である。この利用形態や変形例としては、例えば、次の（ａ）〜（ｄ）のようなものがある。
【００７４】
（ａ）  実施例１では、一般的なVOIPネットワークに必ず配備されるVOIP−GW４０内にGW音声基準機能部４４を配備したが、単独装置、若しくはVOIPネットワーク上のどこかの装置上に配備させることにも適用可能である。
【００７５】
（ｂ）  実施例１では、音声の送話・受話レベルであったが、単独装置として遅延、揺らぎ等の発生機能を追加することにより、実運用で測定した遅延、揺らぎ等を交えたに近い状態での音声の試験機能としても適用可能である。
【００７６】
（ｃ）  実施例２において、前記（ａ）と同様に、GW音量調整部４５及び音量調整パス２３の機能を単独装置、若しくはVOIPネットワーク上のいずれかの装置上に配備させることにより、GW以外の装置にも自動調整機能が適用可能である。
【００７７】
（ｄ）  実施例２において、前記（ｂ）と同様に、単独装置として遅延、揺らぎ等の発生機能を追加することにより、実運用で測定した遅延、揺らぎ等を交えたに近い状態での音声の自動試験機能としても適用可能である。
【図面の簡単な説明】
【００７８】
【図１】本発明の実施例１におけるソフトスイッチ型VOIPネットワークを示す概略の構成図である。
【図２】従来のソフトスイッチ型VOIPネットワークを示す概略の構成図である。
【図３】図２のソフトスイッチ型VOIPネットワークにおけるSIPの呼設定例を示すシーケンス図である。
【図４】図２のソフトスイッチ型VOIPネットワークにおけるソフトフォン端末の呼設定例を説明するための図である。
【図５】本発明の実施例２におけるソフトスイッチ型VOIPネットワークを示す概略の構成図である。
【図６】図５の論理パスの接続構成を示す図である。
【図７】図５のソフトフォン端末の送話レベル調整を示す図である。
【図８】図５のソフトフォン端末の受話レベル調整を示す図である。
【符号の説明】
【００７９】
２０      IPネットワーク
２１      呼制御パス
２２      音声パス
２３      音量制御パス
３０      呼制御サーバ
４０，４０Ａ      VOIP-GW
４１      IPインタフェース
４２      PSTNインタフェース
４３      回線インタフェース
４４      GW音声基準機能部
４５      GW音量調整部
５０−１，５０−２，５０Ａ      ソフトフォン端末
５１      マイク
５２      音量調整部
５３ｂ，５４ｃ      レベル補正部
５５      比較部
５６      スピーカ
６０      PSTNネットワーク
７０      電話機
【図１】
2008067270.tif 000003
【図２】
2008067270.tif 000004
【図３】
2008067270.tif 000005
【図４】
2008067270.tif 000006
【図５】
2008067270.tif 000007
【図６】
2008067270.tif 000008
【図７】
2008067270.tif 000009
【図８】
2008067270.tif 000010